(57)【要約】【課題】座ったり立ったりするユーザにて使用可能なよう２段階の高さ調整が容易な操作にて実現でき、かつ、簡易な構成で低コストに製造することができる操作装置台を提供する。【解決手段】操作装置を載置する天板と、この天板の載置面とは反対面に係合され、天板に対して相互に対面して立設される一対の足板と、を備え、この一対の足板を、天板に対して立設された状態と天板に対する水平状態と、に変化可能なよう回転自在に天板に係合した。【選択図】図２
0003122742.tif 000002
【実用新案登録請求の範囲】
【請求項１】
操作装置を載置する天板と、
この天板の載置面とは反対面に係合され、前記天板に対して相互に対面して立設される一対の足板と、を備え、
この一対の足板を、前記天板に対して立設された状態と前記天板に対する水平状態と、に変化可能なよう回転自在に前記天板に係合した、
ことを特徴とする操作装置台。
【請求項２】
前記一対の足板が前記天板に対して立設状態にある場合に、前記一対の足板の相互間に位置することで当該一対の足板が前記天板に向かって回転しないよう支持する補強板を、前記天板の載置面とは反対面に係合して備え、
この補強板を、前記一対の足板を立設状態から回転しないよう支持する状態と、前記一対の足板と共に前記天板に対して水平となる状態と、に変化可能なよう回転自在に前記天板に係合した、
ことを特徴とする請求項１記載の操作装置台。
【請求項３】
前記補強板を前記一対の足板の立設を支持する位置に保つよう、前記補強板の回転を係止する係止手段を設けた、
ことを特徴とする請求項２記載の操作装置台。
【考案の詳細な説明】
【技術分野】
【０００１】
本考案は、操作装置台にかかり、特に、パソコンのキーボードやマウスなどの操作装置を載置する台に関する。
【背景技術】
【０００２】
近年、多くの人がパソコンを使用しており、その使用頻度及び時間も増加している。これに伴い、ユーザの使用状態も多様化しており、各ユーザがそれぞれに使いやすい形態で使用することを望んでいる。例えば、デスクに対して頻繁に立ったり座ったりを繰り返すユーザにとっては、キーボードなどの操作装置の高さを、座っているときには低く、立っているときには高くといった、少なくとも２段階の高さ調整できることを望んでいる。
【０００３】
ここで、下記の特許文献１には、キーボード等の操作装置を載置する台であって、その高さを変更可能とする構成が開示されている。これを用いることで、ディスプレイや椅子の高さ、さらには、ユーザの身体の大きさに合わせて、キーボードやマウスといった操作装置の高さを変更することができる。
【０００４】
【特許文献１】特開平６−３４２３２１号公報
【考案の開示】
【考案が解決しようとする課題】
【０００５】
しかしながら、上記特許文献１に開示の操作台装置は、パソコンラックやデスクなどに搭載するものであり、また、あらゆるユーザに対応すべく高さ調整の自由度が高く構成されているため、構造が複雑かつ大掛かりであり、実現するためのコストが高い、という問題が生じる。
【０００６】
このため、本考案では、上記従来例の有する不都合を改善し、特に、座ったり立ったりするユーザにて使用可能なよう２段階の高さ調整が容易な操作にて実現でき、かつ、簡易な構成で低コストに製造することができる操作装置台を提供する、ことをその目的とする。
【課題を解決するための手段】
【０００７】
そこで、本考案の一形態である操作装置台は、操作装置を載置する天板と、この天板の載置面とは反対面に係合され、天板に対して相互に対面して立設される一対の足板と、を備え、この一対の足板を、天板に対して立設された状態と天板に対する水平状態と、に変化可能なよう回転自在に天板に係合した、ことを特徴としている。
【０００８】
そして、一対の足板が天板に対して立設状態にある場合に、一対の足板の相互間に位置することで当該一対の足板が天板に向かって回転しないよう支持する補強板を、天板の載置面とは反対面に係合して備え、この補強板を、一対の足板を立設状態から回転しないよう支持する状態と、一対の足板と共に天板に対して水平となる状態と、に変化可能なよう回転自在に天板に係合した、ことを特徴としている。
【０００９】
さらには、補強板を一対の足板の立設を支持する位置に保つよう、補強板の回転を係止する係止手段を設けた、ことを特徴としている。
【００１０】
上記考案によると、まず、ユーザは、操作装置を天板上に載置しておく。そして、ユーザがデスクに座って作業を行うなど操作装置の高さを低く設定する場合には、一対の足板及び補強板を、天板に対して水平となるよう回転させて畳んでおく。一方、ユーザが立って作業を行うなど操作装置の高さを高くして設定する場合には、操作装置を天板上に載置したまま当該天板を持ち上げることで、畳まれた状態の一対の足板が回転して天板に対して立設された状態になる。また、これに伴い、補強板も回転され一対の足板の相互間に位置し、係止手段によって回転が係止される。これにより、立設された足板が台の脚となって、天板の位置が高く設定される。このとき、補強板にて、立設された足板の回転が係止され、立設状態を安定して維持することができる。
【考案の効果】
【００１１】
本考案は、以上のように構成され機能するので、これによると、簡易な構造にて操作装置台を構成することができるため、低コスト化を図ることができる。また、操作装置を天板上に載置したまま容易に高さ調整を行うことができ、ユーザの利便性の向上を図ることができる、という従来にない優れた効果を有する。
【考案を実施するための最良の形態】
【００１２】
本考案は、操作装置を載置する台に関する考案である。以下実施例では、パソコンの操作装置であるキーボード及びマウスを載置することを例に挙げて説明する。但し、載置する操作装置は、キーボードやマウスに限定されない。
【実施例１】
【００１３】
本考案の第１の実施例を、図１乃至図３を参照して説明する。図１は、操作装置台の高さを低く設定したときの構成を示す図であり、図２は、高く設定したときの構成を示す図である。図３は、使用時の一例を示す図である。
【００１４】
［構成］
図１乃至図２に示すように、操作装置台は、キーボードやマウスといった操作装置を載置する天板１と、この天板１の載置面とは反対面に係合された一対の足板２及び補強板３と、を備えている。以下、詳述する。
【００１５】
天板１は、略長方形状の板部材である。そして、その長手方向（図１乃至図２では、左右方向）の両端近辺に、当該長手方向に対して板面が直交するよう配置されたそれぞれ略長方形状の足板２１，２２を備えている。これら足板２１，２２は、一端が天板１に回転自在に係合されており、他端が、天板１に対してほぼ垂直に立設されたときに接地するよう、操作装置台の脚を形成している。
【００１６】
各足板２１，２２の一端側には、当該各足板２１，２２の一端面と同一形状である帯状の補助部材２１ａ，２２ａが、それぞれ天板１に固着されて設けられており、その高さは、後述する補強板３の板厚と同等である。そして、各補助部材２１ａ，２２ａには、ヒンジ２１ｂなどの回転係合手段を介して、上述した各足板２１，２２の一端面が回転自在に係合されている。なお、図２では、ヒンジ２１ｂを１つしか図示していないが、他の箇所にも備えられている。
【００１７】
これにより、天板１すなわち各補助部材２１ａ，２２ａに対して、各足板２１，２２を回転することで、まず、図１に示すように、天板１に対してほぼ平行（水平）となるよう畳まれた状態にすることができる。また、図１の矢印に示すように、各足板２１，２２を回転して開くことで、各補助部材２１ａ，２２ａと各足板２１，２２との端面が当接して、天板１に対してほぼ垂直に立設された状態にすることができる。このとき、各足板２１，２２は、相互に対面した状態となる。
【００１８】
また、図１乃至図２に示すように、上記各足板２１，２２の相互間には、略長方形状の上述した補強板３が、天板１に係合されて設けられている。具体的には、天板１の長手方向に沿った一辺付近（図１乃至図２では、奥側に位置する一辺付近）に沿って、各足板２１，２２が係合されている補助部材２１ａ，２２ａの間に、ヒンジなどを用いて回転自在に係合されている。これにより、補強板３は、図１の矢印に示すように回転されることで、図２に示すように立設された足板２１，２２の対向面の間にその回転端が位置し、各足板２１，２２が図２に示す方向、つまり、天板１に向かって折り畳まれる方向に回転しないよう支持する。
【００１９】
なお、補強板３の回転端付近には、例えば、紐（係止手段）がくくりつけてあり、当該紐の他端が天板１に括り付けると共にその長さを調整することで、天板１から吊り下げられた状態にすることができる。これにより、補強板３の回転端部分を、図２に示すような位置にて係止させることができ、上述したように、足板２１，２２の支持を実現できる。なお、補強板３の回転を係止する手段としては、上述した形状のものに限定されない。例えば、補強板３の回転端を係止させたい位置近辺の足板２１，２２面上に突出する部材を設け、当該突出部材にて下方から補強板３の回転端付近を支持して係止してもよい。
【００２０】
一方、補強板３が天板１に向かって回転され折り畳まれた状態のときには、当該補強板３が天板１の裏面に当接して当該天板１と水平状態となる。このとき、補強板３の板厚は、補助部材２１ａ，２２ａの高さとほぼ同等に形成されているため、補強部材２１ａ，２２ａの高さから突出せず、さらにその下には、折り畳まれた足板２１，２２が折り畳まれ、積層状態となる。従って、かかる場合の天板１の載置面の高さは、図１に示すように、天板１、補強板３、足板２１，２２の板厚分だけとなる。
【００２１】
［動作］
次に、上記構成の操作装置台を使用する際の動作を、図１乃至図３を参照して説明する。まず、ユーザがデスクに座ってパソコン操作を行う場合には、足板２１，２２及び補強板３を天板１に対して水平となるよう回転させて畳んでおき、図１（ａ）に示す状態にし、天板１の高さを低く設定する。そして、図３（ａ）に示すように、その上にキーボード及びマウスを載置することで、座ったままの操作が可能となる。
【００２２】
その後、ユーザが立って作業を行いつつ、パソコン操作を行う場合には、キーボード及びマウスを天板１上に載置したままの状態で、天板１を持ち上げることで、図１の矢印に示すように畳まれた状態の足板２１，２２が回転して天板に対して立設された状態にする。同時に、補強板３も回転され一対の足板２１，２２の相互間に位置し、紐などの係止手段（図示せず）によってその回転が係止される。これにより、立設された足板２１，２２が脚となり、天板１の位置が高く設定される。このとき、補強板３にて、立設された足板２１，２２が折り畳まれる方向に回転しないよう支持されるため、立設状態を安定して維持することができる。
【００２３】
そして、さらに、操作装置台の高さを、高く設定した状態から低く設定しなおす場合には、図２の矢印に示すように、補強板３と足板２１，２２とを回転させて、天板１に対して水平となるよう折り畳むことで、図１に示すような低い高さに設定することができる。
【００２４】
このようにすることで、操作装置台を簡易な構成にて実現でき、製造コストの低廉化を図ることができる。また、操作装置を天板上に載置したまま容易に高さ調整を行うことができ、ユーザの利便性の向上を図ることができる。
【００２５】
なお、上記では、各足板２１，２２の対面にヒンジ２１ｂ等を設けて、立設状態から内側に折り畳まれるよう回転自在な構成としているが（図２参照）、これとは逆に、各足板２１，２２が外側方向（天板１の長手方向に位置する両端方向）に折り畳まれるよう回転自在な構成であってもよい。つまり、上述した各補助部材２１ａ，２２ａの外側の面あるいは天板１自体と、各足板２１，２２の外側の面と、をヒンジ等で回転自在に係合してもよい。
【００２６】
これにより、各足板２１，２２を、立設状態から補助部材２１ａ，２２ａあるいは天板１に対して回転することで、当該各足板２１，２２を、天板１に対してほぼ平行（水平）となるよう外側方向に畳まれた状態にすることができ、その高さを低く設定することができる。このとき、天板１と各足板２１，２２との厚さ分が天板１の載置面の高さとなり、操作装置の高さをより低く設定することができる。
【産業上の利用可能性】
【００２７】
本考案は、パソコンのキーボードやマウスなどの操作装置を載置し、その高さを調整することができる台として利用することができ、産業上の利用可能性を有する。
【図面の簡単な説明】
【００２８】
【図１】操作装置台の構成を示す図である。
【図２】操作装置台の構成を示す図である。
【図３】操作装置台の使用時の様子を示す図である。
【符号の説明】
【００２９】
１  天板
２  一対の足板
３  補強板
２１，２２  足板
【図１】
0003122742.tif 000003
【図２】
0003122742.tif 000004
【図３】
0003122742.tif 000005